(57)【特許請求の範囲】
【請求項１】
カードホルダーを連結する合成樹脂製の連結具であって、  ２つ折り可能な帯状のベルト部と、  前記ベルト部の長手方向の一方の側において前記ベルト部の表面から突出する突部と、  前記長手方向の他方の側に設けられ前記突部を嵌め入れ可能な孔と、を有し、  前記突部は、  突出方向に直交する断面の外形が円形であり、 前記ベルト部の表面側からその突出方向に向けて順に、 いずれもその側面を周方向に一周して外方に突出する第１係止部および前記第１係止部よりも突出の程度が小さい第２係止部を有し、  かつその突出側の端が底部により閉じられて前記突出側とは反対の端が開口する中空に形成され、  前記孔は、 その中心軸に直交する断面の形状が円形であり、 前記突部が突出する側からその反対側に向けて順に、 他の部分に比べて内径が大きく周方向に一周する凹状の係合部と、 前記係合部より内径が小さな径小部と、 前記径小部より内径が大きな径大部、とを有し、  前記突部の突出する側を内側として前記ベルト部が２つ折りされて前記突部が前記孔に押し入れられたとき、前記第２係止部が前記径大部に嵌り込み、前記第１係止部が前記係合部に嵌り込んで、前記ベルト部の２つ折りが維持されるように構成された  ことを特徴とする連結具。
【請求項２】
前記ベルト部は、
前記長手方向における前記孔を有する側の先端近傍に、全体として前記ベルト部の長手方向に延び前記ベルト部が２つ折りされたときの内側となる方向に突出する補強リブを有する
請求項１に記載の連結具。
【請求項３】
前記孔は、前記ベルト部における他の部分よりも厚さが大きい孔部に設けられ、
前記孔部と間隔を有して前記孔部を環状に取り囲み前記ベルト部における他の部分よりも厚さが大きい補強環を備えた
請求項１または請求項２に記載の連結具。
【発明の詳細な説明】
【技術分野】
【０００１】
本発明は、例えば職場、会議場等で個人を識別するための、名札または名刺等を収容するためのカードホルダーをストラップまたはクリップに連結する連結具に関する。
【背景技術】
【０００２】
近年、技術および情報の高度化により、企業等において部外者のオフィス内への立ち入りを制限し、または特定の部署に所属する社員にのみ出入りを認める領域を定めて、社内秘密の保持に努めることが多くなっている。そして、このような立ち入りの可否等の判別を目的の１つとして、社員または訪問者に、名札等が収容されたカードホルダーの携行が求められる。
【０００３】
また、多くの人が集まる会議場、展示場等では、個人を識別しまたは自らを紹介するために、名札等を収容したカードホルダーを首から吊り下げることが通常なされる。
このようなカードホルダーは、一般に、首掛け用のストラップまたは胸ポケット等に固定するためのクリップに連結具を介して連結される。
連結具には、金属製のナスカン等、合成樹脂ベルトに金属製のホックを取り付けて２つ折りにするもの（特許文献１、非特許文献１）、またはホックを有して２つ折りする形態の合成樹脂単独のもの（特許文献１、非特許文献２）がある。また、ポリアセタール等の弾性に富む樹脂材料のみで製造され２つ折りしてカードホルダーに連結される名札等の衣服用クリップも提案されている（特許文献２）。
【先行技術文献】
【特許文献】
【０００４】
【特許文献１】実用新案登録第３０７７４５６号公報
【特許文献２】特開２００４−１１７５０１号公報
【非特許文献】
【０００５】
【非特許文献１】インターネット、http://www.open-k.co.jp/goods/NP_TN_N-22.html
【非特許文献２】インターネット、http://www.askul.co.jp/p/022474/?storeId=1001&frameURL=%2Fp%2F022474%2F&utm_medium=affiliate&rtMode=affiliate&utm_source=googleps&screenID=STATICSEO&langId=-10
【発明の概要】
【発明が解決しようとする課題】
【０００６】
ナスカンのような金属製の連結具は、加工のし難さ等により製造コストが高くなるという問題がある。特許文献１、非特許文献１で紹介された合成樹脂ベルトに金属製のホックを取り付けて２つ折りにする連結具は、ベルトの製作工程とは別に金属ホックの取り付け工程が必要である。
また、特許文献１，２、非特許文献２で提案された樹脂材料のみによる連結具は、カードホルダーの取り付け、取り外しの繰り返しにより、ベルト部分とホックとの境界に破れが生じ易い。
【０００７】
本発明は、上述の問題に鑑みてなされたもので、合成樹脂のみで製造可能な、カードホルダーの取り付け、取り外しを繰り返しても破損し難い連結具を提供することを目的とする。
【課題を解決するための手段】
【０００８】
本発明に係る連結具は、カードホルダーを連結する合成樹脂製の連結具である。
連結具は、２つ折り可能な帯状のベルト部と、ベルト部の長手方向の一方の側においてベルト部の表面から突出する突部と、長手方向の他方の側に設けられ突部を嵌め入れ可能な孔と、を有する。
突部は、突出方向に直交する断面の外形が円形であり、ベルト部の表面側からその突出方向に向けて順に、いずれもその側面を周方向に一周して外方に突出する第１係止部および第１係止部よりも突出の程度が小さい第２係止部を有する。突部は、その突出側の端が底部により閉じられて突出側とは反対の端が開口する中空に形成される。
【０００９】  孔は、その中心軸に直交する断面の形状が円形である。孔は、突部が突出する側からその反対側に向けて順に、他の部分に比べて内径が大きく周方向に一周する凹状の係合部、係合部より内径が小さな径小部、および径小部より内径が大きな径大部、を有する。  そして、連結具は、突部の突出する側を内側としてベルト部が２つ折りされて突部が孔に押し入れられたとき、第２係止部が径大部に嵌り込み、第１係止部が係合部に嵌り込んで、ベルト部の２つ折りが維持されるように構成される。【００１０】
好ましくは、ベルト部は、その長手方向における孔を有する側の先端近傍に、全体としてベルト部の長手方向に延びベルト部が２つ折りされたときの内側となる方向に突出する補強リブを有する。
「全体としてベルト部の長手方向に延び」とは、ベルト部の長手方向に延びる場合のほか長手方向に角度を有して延びる場合を含む。
【００１１】
連結具は、好ましくは、孔が、前記ベルト部における他の部分よりも厚さが大きい孔部に設けられ、孔部と間隔を有して孔部を環状に取り囲みベルト部における他の部分よりも厚さが大きい補強環を備える。
【発明の効果】
【００１２】
本発明によると、合成樹脂のみで製造可能な、カードホルダーの取り付け、取り外しを繰り返しても破損し難い連結具を提供することができる。
【図面の簡単な説明】
【００１３】
【図１】図１は連結具を２つ折りの内側となる側から見た斜視図である。
【図２】図２は連結具を図１の反対側から見た斜視図である。
【図３】図３は図１におけるＡ−Ａ矢視断面図である。
【図４】図４は連結具がカードホルダーとストラップとを連結する様子を示す図である。
【図５】図５は他の形態の連結具の図である。
【図６】図６は補強リブの他の形態を示す図である。
【発明を実施するための形態】
【００１４】
図１は連結具１を２つ折りの内側となる側から見た斜視図、図２は連結具１を図１の反対側から見た斜視図、図３は図１におけるＡ−Ａ矢視断面図である。
連結具１は、携行する個人を識別する名札、ＩＤカードまたは名刺等を収容するカードホルダーと、首掛け（吊り下げ）用のネックストラップまたは胸ポケットへの固定用クリ
ップ等とを連結するためのものである。
【００１５】
連結具１は、ベルト部１１、突部１２、孔部１３およびストラップ取付部１４等からなる。
ベルト部１１は、厚さが小さく幅が広いベルト状（帯状）の、連結具１の本体部分である。ベルト部１１は、所定の長さを有し、長手方向内方の特定の範囲１５を除き、一方の表面が、断面形状アーチ形（円弧状）の幅方向の内方に向かうに伴い肉厚に形成されている。
【００１６】
ベルト部１１におけるアーチ状に湾曲する表面を「裏面１６」といい、これと反対側の面を「おもて面１７」という。おもて面１７は、連結具１が２つ折りされたときに内側となる面である。ベルト部１１における肉圧ではない特定の範囲１５を「折り曲げ部１５」という。
ベルト部１１は、全長が略４５ｍｍ、幅が略１２ｍｍ前後である。折り曲げ部１５の厚さは略０．８ｍｍであり、ベルト部１１におけるその他の部分は、幅方向中央の部分の厚さが略１．２ｍｍ、幅方向の端では厚さが０．８ｍｍである。
【００１７】
ベルト部１１は、長手方向の一方の端が半円形である。ベルト部１１は、折り曲げ部１５から半円形の端に至るまでその幅が少しずつ狭くなっている。ベルト部１１の長手方向の他方の端は、ストラップ取付部１４に連続する。
突部１２は、形状が半円形である長手方向の一方の端とは反対側の端近傍におけるベルト部１１のおもて面１７から、おもて面１７に直交して突出する部分である。 図１および図３を参照して、突部１２は、突出方向に順に基部２１、第１係止部２２、第２係止部２３、底部２４およびそれぞれの中間部分からなる。突部１２は、中空であって突出端が底部２４により閉じられている。突部１２は、突出する方向に直交する断面の形状がいずれの部分でも円である。
【００１８】
基部２１は、突部１２をベルト部１１に連続させる部分である。基部２１は、ベルト部１１に比べて厚さが大きい。
第１係止部２２は、突部１２において基部２１を除き断面の外径が最大となる、突出方向の中程に位置する部分である。第１係止部２２は、その表面が、突部１２の軸心を含む断面において円弧状であり外方に凸となった環状の湾曲面である。第１係止部２２は、内方に凸となった環状の湾曲面である中間部分によって基部２１に連続する。
【００１９】
第２係止部２３は、外径が一定の中間部分を介して第１係止部２２に連続し、突部１２の突出端近傍に位置する、前記した中間部分よりも大きな外径を有する部分である。第２係止部２３の表面は、突部１２の軸心を含む断面において円弧状であり外方に凸となった環状の湾曲面である。
底部２４は、前述したように、中空である突部１２の突出端を閉じるものである。
【００２０】
突部１２における中空となった部分を中空孔２５というものとする。中空孔２５は、裏面１６に開口し、その形状が、奥側では突出端側の内径が小さな円錐台である。中空孔２５は、開口側では、開口に向けて内径が急激に増加し、楽器のトラムペットの音の出口（ベル）の形状のように、内周面が突部１２の軸心を含む断面において内方に凸状に湾曲する。
【００２１】
孔部１３は、ベルト部１１における形状が半円形である端近傍に位置する。孔部１３は、おもて面１７側から裏面１６側に貫通する孔３１、および孔３１を取り囲む部分（以下「孔周辺部３９」という）で構成される。孔部１３は、ベルト部１１よりもその厚さＴが大きい。孔部１３の厚さＴは、突部１２の突出高さＨ、すなわち基部２１を除く突出高さＨに略等しい
孔３１は、その軸心方向のいずれの部分の断面も形状が円である。孔３１は、おもて面１７側の開口近傍が、径方向内方に凸の湾曲面である。また、孔３１は、その中心軸を含む断面において開口端（断面における中心軸方向の最もおもて面１７側の端）の接線が中心軸に直交し、そのため、開口に向けて内径が急激に増加する。孔３１は、この湾曲面の奥側（裏面１６側）に、係合部３２を有する。
【００２２】
係合部３２は、孔３１の中心軸を含む断面において径方向に対して凹となった円弧状の
、全体として他の部分に比べて内径が大きな環状の湾曲面である。係合部３２は、中心軸を含む断面に第１係止部２２の軸心を含む断面を重ね合わせたとき、第１係止部２２をその内側に収めることができ、またはその内面の輪郭が、第１係止部２２の外面の輪郭に重なるもしくは第１係止部２２の外面の輪郭より僅かに小さい。
【００２３】
係合部３２のさらに奥（裏面１６側）には、内径が係合部３２よりも小さく貫通方向に一定の内径の径小部３３、および径小部３３よりも大きく一定の内径である径大部３４が連なる。径小部３３と径大部３４とは、内径が不連続的に変化する段３５により区分される。ここでは、段３５を、内径が不連続に変化することにより生じた、裏面１６側を向く面を意味するものとする。
【００２４】
孔３１の中心軸方向についての、係合部３２における内径が最大になる位置と段３５との距離Ｄ１は、突部１２の突出方向についての、第１係止部２２の外径が最大になる位置と第２係止部２３（の第１係止部２２側の端）までの距離Ｄ２に略等しい（図３）。
径小部３３の内径は、突部１２における第１係止部２２と第２係止部２３との中間部分の外径に略等しい、またはこれよりも僅かに大きい。径大部３４の内径は、突部１２の第２係止部２３の最大の外径に略等しい、またはこれよりも僅かに大きい。径大部３４は、裏面１６への開口近傍では、さらに内径が大きくなっている。
【００２５】
孔３１は、その中心軸と折り曲げ部１５の孔３１側の端３６との距離Ｄ３が、突部１２の軸心と折り曲げ部の突部１２側の端２６との距離Ｄ４に略等しい。
おもて面１７側における孔部１３の近傍には、補強環３７および複数のリブ３８が設けられる。補強環３７は、孔部１３と間隔を有して孔部１３を取り囲む、おもて面１７側に突出する環状部分である。補強環３７は、その幅および高さが１ｍｍ前後である。リブ３８は、孔周辺部３９を起点とし、孔３１の中心から放射状に延びた、おもて面１７側に突出する線状部分である。リブ３８は、周方向に６０度間隔に６つが、補強環３７に交差して径方向外方に延びる。各リブ３８は、その延長線上に後述する補強リブ４１が存在するものは補強リブ４１に連続し、そうでないものは、補強環３７から０．５ｍｍ程径方向外方に延びて終わる。各リブ３８の幅および高さは略１ｍｍである。
【００２６】
６つのリブ３８，…，３８は、樹脂材料により成形した連結具１を金型から取り出すときの突き出しピン（エジェクタピン）の先端の位置に対応して設けられ、金型からの取り出し時に、突き出しピンがいずれかのリブ３８を突くことにより、成形直後の連結具１の変形を防止する。リブ３８の数は、突き出しピンの配置等に応じてその数および位置を変えることができる。また、補強環３７の位置と突き出しピンの位置とを一致させることにより、リブ３８を省略してもよい。
【００２７】
ベルト部１１における長手方向の一方の半円形の端縁およびその近傍の端縁には、補強リブ４１が設けられる。補強リブ４１は、厚さが略０．８ｍｍであり、半円形の端縁等に沿っておもて面１７に直交しながら外方に突出する。補強リブ４１は、半円形の端縁だけではなくこれに連続する、図３において孔部１３（孔周辺部３９）と重なるベルト部１１の長手方向における内方の端縁にまで延びている。つまり、補強リブ４１は、孔部１３を、突部１２側を除く三方から取り囲むように設けられる。補強リブ４１は、突出高さが略２ｍｍである。補強リブ４１は、ベルト部１１の長手方向の内方端において徐々に高さが低くなって突出高さが０ｍｍになる。
【００２８】
ストラップ取付部１４は、ベルト部１１の長手方向の他方の端（半円形の端の反対側の端）に連続している。ストラップ取付部１４は、幅がベルト部１１と同じであり、厚さがベルト部１１に比べて大きく略３ｍｍである。ストラップ取付部１４は、ベルト部１１との厚さの違いの大部分をおもて面１７側に突出させている。
ストラップ取付部１４は、おもて面１７側と裏面１６側とを貫通するストラップ孔４２を備える。ストラップ孔４２は、その断面形状がベルト部１１の長手方向を短辺とする矩形である。ストラップ取付部１４とベルト部１１とが連続する部分におけるベルト部１１幅方向の両端縁には、おもて面１７からストラップ孔４２の突出面まで徐々に高さが増す、補強壁４３，４３が設けられている。補強壁４３の厚さは、補強リブ４１の厚さに略等しい。
【００２９】
連結具１は、ポリエチレン（ＰＥ）、ポリプロピレン（ＰＰ）等のオレフィン系の合成樹脂により製造される。
次に、連結具１によるカードホルダー２とストラップ３との連結について説明する。
図４は連結具１がカードホルダー２とストラップ３とを連結する様子を示す図である。
連結具１とストラップ３との連結は、ストラップ３をストラップ孔４２に通すことにより行われる。ストラップ３は、端同士が分離可能なバックルにより連結され、またはかしめられた金属等で分離不能に連結される。なお、ここでいうストラップ３とは、いわゆる平紐をいう。
【００３０】
続いて、連結具１の孔部１３側の端が、カードホルダー２に設けられたストラップ取り付け用の孔（以下「取付孔５１」という）に通される。一端が取付孔５１に通された連結具１は、おもて面１７を内側にして折り曲げ部１５で二つ折りされ、突部１２が孔３１に嵌め入れられる。折り曲げ部１５は、ベルト部１１においてその厚さが小さく、二つ折りが容易である。孔３１に嵌め入れられた突部１２は、その第１係止部２２が、孔３１の係合部３２に嵌り込んで保持され、その第２係止部２３の凸状湾曲面が、孔３１の段３５によって係止される（図３の二点鎖線部分参照）。
【００３１】
連結具１は、カードホルダー２との連結が、第１係止部２２と係合部３２との嵌合を主とし、第２係止部２３が段３５により係止されることを従として維持される。
連結具１は、カードホルダー２における取付孔５１とその直近の端縁との間を、二つ折りされたベルト部１１に挟むことにより、カードホルダー２を連結する。連結具１は既にストラップ３に連結されているので、連結具１は、カードホルダー２とストラップ３とを連結する。
【００３２】
ベルト部１１は、折り曲げ部１５の孔部１３側の端３６から半円形の端に至るまでその幅が少しずつ狭くなっている。そのため、突部１２が孔３１に嵌め入れられた状態では、半円形の端の先端側が２つの補強壁４３，４３に重なることなくこれらの間に位置する。
カードホルダー２の連結具１からの取り外しは、ベルト部１１における半円形の端側をつまんで孔３１から突部１２を抜き出す。孔部１３から突部１２が抜き出されると、ベルト部１１の両端が開かれ、連結具１からカードホルダー２が取り出される。
【００３３】
孔３１からの突部１２の抜き出しは、主に突部１２を形成する弾性を有する樹脂が変形することにより可能となる。
弾性を有する、連結具１を形成する材料には、ポリエチレンおよびポリプロピレンが、適度な弾性と強度とが調和し生産に適した成形性を有するように一定の割合で混合された合成樹脂が使用される。
【００３４】
ところで、樹脂材料は、弾性を有していても変形が大きければ破損が生ずる。連結具１は、突部１２に中空孔２５を設けてその変形を容易とし、一方で突部１２の突出端で中空孔２５を閉じる底部２４を設けることにより突部１２の過度な変形を抑制する。連結具１は、突部１２を先端が閉じられた中空孔２５を有するものとすることにより、孔３１からの突部１２の抜き出し時における突部１２の変形を、破損が生じない適切な範囲に収めることができる。
【００３５】
突部１２を、このように形成せず中空孔２５を有しない中実とすると突部が変形し難いために、突部と孔部１３との分離時に孔部１３の変形が大きくなり、孔部１３周りに破損が生じ易い。また、突部１２を、底部２４を有さない中空孔とすると、突部と孔部１３との分離時に突部が過度に変形し、突部周り（例えば突出の根もと）が破損し易い。突部１２における底部２４は、中空である突部１２の剛性を適度に高め、突部と孔部１３との分離時における孔部１３および突部１２周りの破損を防止する働きをする。
【００３６】
また、連結具１は、孔３１の周り（孔周辺部３９）をベルト部１１よりも肉厚としたことにより、孔３１周りが補強されている。この孔３１周りの補強により、孔３１から突部１２を抜き出すときに強引に作業を行っても孔３１の過度な変形が妨げられ、孔３１周りの破損が防止される。
さらに、ベルト部１１における孔部１３側の先端近傍に補強リブ４１が設けられたことにより、孔部１３周りが一層補強される。孔３１から突部１２を抜き出す作業は、ストラ
ップ３に連結されない側の端、つまり孔部１３側の端をつまんで行われるが、この作業において、連結具１は補強リブ４１を備えることよって孔部１３周りが過度に変形せず、孔部１３周りの破損が防止される。
【００３７】
これに対して、補強リブ４１を有しない特許文献１，２に記載された連結具、および非特許文献２における連結具では、孔部側の端をつまんで行う連結の解除作業において、つまんだ端側が反り返って大きく変形する。これらに記載された連結具は、孔部と突部との結合を解除するときのこの過大な変形によって孔部周りが破損し易い。補強リブ４１は、孔部１３周りの剛性を高めて、連結の解除作業における、孔部１３から半円形の先端までの反り返りを防止することにより、孔部１３周りの破損を回避する働きをする。
【００３８】
孔部１３周りは、孔部１３を取り囲む補強環３７によっても剛性が高められ、孔部１３は補強環３７によって過度の変形が妨げられ、破損が防止される。
連結具１は、突部１２を孔３１に嵌め入れる作業、および突部１２を孔３１から抜き出す（連結を解除する）作業のいずれにも、適度な固さであることが好ましい。この適度な固さは、突部１２および孔３１（孔部１３）の各部の寸法の組み合わせに依存するが、これ以外にも、材料である樹脂の弾性によっても異なったものとなる。
【００３９】
図５は他の形態の連結具１Ｂの図である。図５における（ａ）は連結具１Ｂを２つ折りの内側となる側から見た斜視図、（ｂ）は（ａ）のＢ−Ｂ矢視断面図、（ｃ）は連結具１Ｂがカードホルダー２とストラップ３とを連結する様子を示す図である。
連結具１Ｂは、ベルト部１１Ｂ、突部１２Ｂ、孔部１３Ｂおよびストラップ取付部１４等からなる。連結具１Ｂにおけるストラップ取付部１４は、連結具１におけるものと同じであり、図５において連結具１と同じ符号を付しその説明を省略する。
【００４０】
ベルト部１１Ｂは、ストラップ取付部１４に連続する側とは反対側の端が、半円形ではなく９０度の頂角を２つ有する形状をベースとする点で、連結具１におけるベルト部１１と異なる。９０度の頂角に相当する端縁（２つの角部分）には、角（かど）取りのために湾曲している。ベルト部１１Ｂの他の部分の構成は、連結具１におけるベルト部１１と同じである。
【００４１】
連結具１Ｂは、ベルト部１１Ｂのストラップ取付部１４に連続する側とは反対側の端が（かど取りされた）９０度の２つの頂角を有する形状であることから、この端縁に沿った補強リブ４１Ｂもこの形状に合わせて設けられている（図５（ａ）参照）。補強リブ４１Ｂは、孔部１３Ｂの先端から突部１２Ｂに向けて、連結具１Ｂをそのベルト部１１Ｂの幅方向から見たとき孔部１３Ｂに重なる位置まで延びている。このことは、連結具１における補強リブ４１にも当てはまる。
【００４２】
突部１２Ｂは、突出方向に順に基部２１、第１係止部２２、等径部２７Ｂ、底部２４およびそれぞれの中間部分からなる。突部１２Ｂは、第１係止部２２から突出端までが、一定の外径を有する等径部２７Ｂとなっている点で、つまり第２係止部２３を有しない点で、連結具１における突部１２と異なる。突部１２Ｂの他の部分の構成は、連結具１における突部１２と同じである。
【００４３】
孔部１３Ｂは、おもて面１７側から裏面１６側に貫通する孔３１Ｂ、および孔３１Ｂを取り囲む孔周辺部３９で構成される。孔３１Ｂは、おもて面１７側の開口の奥に係合部３２およびその裏面１６側に径小部３３Ｂを備える。連結具１Ｂでは、孔３１Ｂに連結具１の孔３１のような径大部および段が設けられず、径小部３３Ｂが裏面１６側の開口近くまで続く。孔部１３Ｂは、これらの点を除き、連結具１における孔部１３と同じ構成である。
【００４４】
連結具１Ｂは、連結具１が備える補強環３７を備えていない。また、連結具１Ｂは、孔周辺部３９から１２０度間隔でリブ３８が３つ、放射状に延びている。各リブ３８は、その延長線上に補強リブ４１Ｂが存在するものは補強リブ４１Ｂに連続し、延長上に補強リブ４１Ｂが存在しないものは、２ｍｍ程径方向外方に延びる。各リブ３８の幅は１．５ｍｍであり、高さは略１ｍｍである。
【００４５】
連結具１Ｂについて、説明を省略した部分、図５において連結具１の符号と共通する符号を有する部分は、連結具１におけるものと構成が同じである。
連結具１Ｂによるカードホルダー２とストラップ３との連結は、連結具１におけると同様にして行われる。
連結具１Ｂは、突部１２Ｂが中空孔２５を備えかつ底部２４を備えることにより、特に突部１２Ｂを孔３１Ｂから抜き出すときに変形するものの過度な変形が抑制される。その結果、連結具１Ｂでは、突部１２Ｂ周りの破損が防止され、かつ破損につながる疲労を軽減させながら、節度有る解除感（適度な固さ感）を作業する者に与えることができる。
【００４６】
また、連結具１Ｂは、孔部１３Ｂ側の先端近傍に補強リブ４１Ｂを有することにより、孔部１３Ｂ周りの剛性が高まり、孔部１３Ｂと突部１２Ｂとの解除作業において孔部１３Ｂ周りが過度に変形せず、孔部１３Ｂ近傍の破れ等の破損が防止される。
孔３１を、裏面１６に開口させず閉じられたものとすることができる。連結具１，１Ｂでは、突部１２，１２Ｂと孔部１３，１３Ｂとの連結の解除の際に突部１２，１２Ｂが適度に変形することにより、突部１２，１２Ｂおよび孔３１周りの破損が防止される。このような作用は、孔３１が貫通するかしないかには影響されない。
【００４７】
また、補強リブ４１，４１Ｂは、突部１２，１２Ｂと孔部１３，１３Ｂとの連結の解除の際に、孔部１３，１３Ｂ側の過度の反り返りを防止することができるように全体として長手方向に延びるものであれば、他の形態とすることができる。例えば、ベルト部１１，１１Ｂの長手方向の端縁よりも幅方向内方において長手方向に延びるように補強リブ４１Ｃを形成してもよく（図６（ａ））、または孔部１３，１３Ｂについてのベルト部１１，１１Ｂの幅方向両側を起点として先端に向けて徐々に互いの間隔が狭まるように補強リブ４１Ｄを形成してもよい（図６（ｂ））。
【００４８】
上述の実施形態において、連結具１の一部の構成と連結具１Ｂの一部の構成とを組み合わせて、他の形態の連結具とすることができる。連結具１，１Ｂにおける第１係止部２２、第２係止部２３、係合部３２、孔周辺部３９、補強環３７、補強リブ４１，４１Ｂおよびストラップ取付部１４等の形状は、本発明の範囲内で任意のものとすることができる。
その他、連結具１，１Ｂ、および連結具１，１Ｂの各構成または全体の構造、形状、寸法、個数、材質などは、本発明の趣旨に沿って適宜変更することができる。
【産業上の利用可能性】
【００４９】
本発明は、職場、会議場等で個人を識別するための、名札または名刺等を収容するカードホルダーをストラップまたはクリップに連結するための連結具に利用することができる。
【符号の説明】
【００５０】
１，１Ｂ  連結具
２  カードホルダー
１１，１１Ｂ  ベルト部
１２，１２Ｂ  突部
１３，１３Ｂ  孔部
２２  第１係止部
２３  第２係止部
２４  底部
３１  孔（貫通孔）
３２  係合部
３３  径小部
３４  径大部
３７  補強環
４１，４１Ｂ〜４１Ｄ  補強リブ
【図１】
0005562993.tif 000002
【図２】
0005562993.tif 000003
【図３】
0005562993.tif 000004
【図６】
0005562993.tif 000005
【図４】
0005562993.tif 000006
【図５】
0005562993.tif 000007